(57)【特許請求の範囲】
【請求項１】
ネットワークを通じた個人別オンライン記録管理システムにおいて、
上記のネットワークを通じた個人別オンライン記録管理システムは、
ユーザーのIDを管理サーバーに登録し、ユーザーの虹彩情報をパスワードで管理サーバーに登録し、ユーザー端末機で虹彩センサーを通じて受信する虹彩情報を認証した後、ネットワークに接続して、ユーザー端末機と相手端末機が送受信したメッセージ情報をユーザー端末機に保存し、保存されているメッセージ情報を管理サーバーに送信して保存管理するかどうかを相手端末機に要請し、同意する場合は送受信されるメッセージ情報を管理サーバーに送信して保存管理するようにし、上記の管理サーバーで保存管理されているメッセージ情報を受信して表出することができるユーザー端末機（10-1）と;
ユーザー端末機とカカオトーク（登録商標）やFacebook（登録商標）を通じてメッセージを送受信し、ユーザー端末機がメッセージ情報を別途の管理サーバーで保存管理することに同意するかを要請され、同意不同意をユーザー端末機に返信する相手端末機（20-1）と;
上記のユーザー端末機を通じてユーザーが指名して管理サーバーにあらかじめ登録保存したもので、ユーザーの要求時にメッセージ情報を管理サーバーから受信して表出する、あらかじめ指名された指名者端末機（30-1）と;
上記のユーザー端末機からIDおよび虹彩パスワードを受信して保存し、IDと虹彩情報を認証して上記のメッセージ情報をユーザー端末機で受信し、個人別、日付別、時間帯ごとに保存管理し、上記の保存されたユーザーのメッセージ情報をユーザー端末機を通したユーザーの要求時に、あらかじめ指名された指名者端末機に送信する管理サーバー（40-1）;
および多数のユーザー端末機、相手端末機と指名者端末機と管理サーバーをネットワークに接続するインターネット網や無線通信網（50-1）で構成されていることを特徴とするネットワークを通じた個人別オンライン記録管理システム。
【請求項２】
請求項１において、
上記ネットワークを通じた個人別オンライン記録管理システムは、
ＷｉＦｉモジュールが搭載されており、指名者端末機とＷｉＦｉ通信するようにして、文字情報、音声情報および映像情報を提供することができる一般のTV（6）をさらに含んで構成されていることを特徴とするネットワークを通じた個人別オンライン記録管理システム。
【請求項３】
ネットワークを通じた個人別オンライン記録管理方法において、
上記のネットワークを通じた個人別オンライン記録管理方法は、
ユーザーがユーザー端末機を通じて管理サーバーに接続をする段階（S31）と;
ユーザーがユーザー端末機に虹彩センサーを利用して、虹彩情報を保存する段階（S32）と;
ユーザーがユーザー端末機を通じて管理サーバーにID、虹彩情報、端末機番号情報および指名された指名者端末機番号情報を登録保存する段階（S33）と;
ユーザー端末機に搭載された虹彩センサーから受信された虹彩情報をユーザー端末機に保存された虹彩情報と比較して認証する段階（S34）と;
認証の結果本人である場合、ユーザー端末機が入力されたIDおよび虹彩情報を管理サーバーに送信する段階（S35）と;
管理サーバーがIDおよび虹彩情報を保存したIDおよび虹彩情報と比較して認証する段階（S36）と;
管理サーバーが虹彩情報認証結果をユーザー端末機に送信する段階（S37）と;
ユーザー端末機がカカオトーク（登録商標）やFacebook（登録商標）を通じて送受信されるメッセージに別途の管理サーバーに送信して保存管理するようにするかどうかを相手端末機に要請する段階（S38）と;
相手端末機が同意するかどうかをユーザー端末機に返信する段階（S39）と;
同意する場合は、ユーザー端末機がカカオトーク（登録商標）やFacebook（登録商標）での相互に送受信されたメッセージ情報を管理サーバーに送信する段階（S40）と;
管理サーバーが受信したメッセージ情報をユーザー端末機番号情報にマッチングさせて、個人別、時間帯別、テーマ別、および日付別に保存管理するための段階（S41）と;
ユーザーがユーザー端末機を通じて管理サーバーで保存管理しているメッセージ情報を基指名された指名者端末機に送信することを要請する段階（S42）と;
管理サーバーは、ユーザーがあらかじめ指名して登録保存した指名者端末機にメッセージ情報を送信する段階（S43）;
および指名して登録された指名者端末機が受信したメッセージ情報を表出する段階（S44）を含んで行われることを特徴とするネットワークを通じた個人別オンライン記録管理方法。
【請求項４】
請求項３において、
上記のネットワークを通じた個人別オンライン記録管理方法は、
S44段階以後にＷｉＦｉ通信を利用して、一般のＴＶに送信して表示部を通じて提供することができる段階をさらに含んで行われることを特徴とするネットワークを通じた個人別オンライン記録管理方法。
【発明の詳細な説明】
【技術分野】
【０００１】
本発明は、個人別に発生する日常の重要な事と、またはそれによる主要なイベントおよびＳＮＳメッセンジャーを認証過程を経てネットワークを通じてサーバーにリアルタイムで送信し、サーバーから個人別、日付別、時間別、テーマ別に保存管理できるようにし、必要時にスマート端末機を通じて管理サーバーから受信して個人別に提供することができるようにするものに関することである。
【背景技術】
【０００２】
本発明に関連する従来の技術は、大韓民国登録特許第１０−０３８４１０２号（２００７年１２月１０日発表）に開示されているものである。
【０００３】
図１は、上記の従来の個人生活管理システムの構成図である。
【０００４】
上記の図１において従来の個人別生活管理システムは、有無線端末機（１００）、有無線通信網（１１０）、個人生活管理サーバー（１２０）および個人生活応用サーバー（１３０）を含むものである。
【０００５】
上記の有無線端末機（１００）は、携帯電話、ＰＣＳ、ＰＤＡ、およびスマートフォンを含む携帯端末機、およびＰＣなどを含む有線端末機を含んでいる。
【０００６】
上記の無線端末機はインターネットに接続できるＷＡＰブラウザを搭載しており、無線インターネットを利用できるインターフェイスを備えている。
【０００７】
また、上記の有無線通信網（１１０）は、有線／無線通信網を含んでおり、上記の無線通信網は基地局送信機（ＢＳＴ）、基地局コントローラ（ＢＳＣ）、交換機（ＭＳＣ）、ホーム位置レジスタ（ＨＬＲ）など（図示なし）を含んでいる。
【０００８】
また、上記有無線通信網（１１０）は、１Ｘ  ＥＶ／ＤＯ，  １Ｘ  ＥＶ／ＤＶ  を含むＣＤＭＡシステム、ＨＳＤＰＡを含むＷＣＤＭＡ(登録商標)システムを含んでおり、Ｗｉｂｒｏシステム、ＷＬＡＮシステム、Ｓ−ＤＭＢ、インターネット網を含んでいる。
【０００９】
また、上記個人生活管理サーバー（１２０）は、ユーザー端末機から移動通信網を通じて個人情報を送信してもらって管理する機能を実行し、また、上記の個人生活応用サーバー（１３０）は、上記の個人生活管理サーバー（１２０）から上記の個人情報を送信してもらって上記のユーザー端末機（１００）に応用サービスを提供するものである。
【先行技術文献】
【特許文献】
【００１０】
【特許文献１】大韓民国登録特許第１０−０３８４１０２号
【発明の概要】
【発明が解決しようとする課題】
【００１１】
上記のように構成された従来の個人別生活管理システムは、個人がサーバーに接続して、ユーザー端末機を利用して個人別に登録し、ユーザー端末機を利用してひとつひとつ作業なければならないという問題がある。
【００１２】
そこで、上記のような従来の技術における問題点を解決するための本発明のネットワークを通じた個人別オンライン記録管理システムおよびこれを用いた個人別オンライン記録の管理方法は、スマート端末機を利用して、ユーザーの虹彩情報を利用して認証し接続した後、スマート端末機に構成されている音声情報の録画機能を利用して、ユーザーの音声を利用した要求事項を録画したり、文字に変換して保存し、保存された内容を再度表出して確認や訂正を行った後、管理サーバーで保存するようにすることにより、スマート端末機で内容を確定した後、管理サーバーで保存するようにさせるためのものであり、また、スマート端末機を通じて相互に送受信するＳＮＳメッセンジャーをスマート端末機から管理サーバーに送信して、個人別に保存管理するようにさせるものである。
【課題を解決するための手段】
【００１３】
上記のような目的を持った本発明のネットワークを通じた個人別オンライン記録管理システムのユーザーのＩＤを管理サーバに登録し、ユーザーを撮影して送信した虹彩情報をパスワードで管理サーバーに登録し、ユーザー端末機で虹彩センサーを通じて受信する虹彩情報を認証した後、ネットワークに接続してユーザーが話す日常の主要内容を音声情報を記録し、上記の音声情報を文字に変換し、上記の変換された文字情報と録画された音声情報およびユーザーの日常の主要内容を撮影して録画した映像情報をユーザー端末機に保存した後、ユーザー端末機の表示部を通じて文字情報、音声情報と映像情報を提供し、編集プロセスを実施して編集した後、管理サーバーに送信して保存管理するようにし、上記の管理サーバで保存管理されている録画された音声情報および／または文字情報および／または映像情報を受信して表出することができるユーザー端末機と、上記のユーザー端末機を通じてユーザーが指名して管理サーバーにあらかじめ登録し保存したもので、ユーザーの要求時に管理サーバーに録画された音声情報および／または文字情報および／または映像情報を受信して表出する、あらかじめ指名された指名者端末機と、上記のユーザー端末機からＩＤおよび虹彩パスワードを受信して保存し、ＩＤおよび虹彩情報を認証し、  上記の該当ＩＤに該当するユーザの録画された音声情報および変換された文字情報と映像情報を、個人別、時間帯別、日付別に保存管理し、上記の保存されたユーザーの個人別、日付別、時間帯別の録画された音声情報および／または文字情報および／または映像情報をユーザー端末機を通じたユーザーの要求時に、あらかじめ指名された指名者端末機に送信する管理サーバーおよび多数のユーザー、指名者端末機と管理サーバーをネットワークに接続するインターネット網または無線通信網で構成されていることを特徴とするものである。
【００１４】
また、ネットワークを通じた個人別オンライン記録管理方法は、ユーザーがユーザー端末機を通じて管理サーバに接続をする段階と、ユーザーがユーザー端末機に虹彩情報を保存する段階と、ユーザーがユーザー端末機を通じて管理サーバにＩＤ、虹彩情報、番号情報および指名された指名者端末機番号情報を登録・保存する段階と、ユーザー端末機に取り付けられている虹彩センサーから受信された虹彩情報をユーザー端末機にすでに保存された虹彩情報と比較して認証する段階と、認証の結果、本人である場合、ユーザー端末機が入力されたＩＤおよび虹彩情報を管理サーバーに送信する段階と、管理サーバがＩＤと虹彩情報を保存したＩＤと虹彩情報と比較して認証する段階と、管理サーバが認証結果をユーザー端末機に送信する段階と、ユーザー端末機がユーザーのお祝いメッセージまたは日常の主要内容を話す形態でマイクを通じて受信したり、別途のカメラで撮影した日常の主要内容の映像情報を受信する段階と、ユーザー端末機が上記のマイクを通じて受信したユーザーの話を録画して上記の話の音声情報を文字情報に変換する段階と、上記の録画された音声情報および変換された文字情報および映像情報を時間情報とともにユーザー端末機に保存する段階と、ユーザー端末機が保存された文字情報、音声情報および映像情報を表示部を通じて提供し、ユーザーによって変更したり編集できるようにする段階と、ユーザー端末機が編集したり修正して確定された文字情報、音声情報および映像情報を管理サーバーに送信する段階と、管理サーバが受信した録画音声情報および文字情報および映像情報をＩＤまたはユーザー端末機番号情報にマッチングさせ、個人別、日付別、時間帯別、テーマ別に保存管理する段階と、ユーザがユーザー端末機をを通じて個人別、日付別、時間帯別に保存された録画された音声情報および／または文字情報および／または映像情報を指名された指名者端末機への送信を要求する段階と、管理サーバーがユーザーが要求した録画された音声情報および／または文字情報および／または映像情報を、該当指名者端末機に送信する段階と、指名して登録された指名者端末機が受信した録画された音声情報および／または文字情報および／または映像情報を表出する段階を含んで行われることを特徴とするものである。
【発明の効果】
【００１５】
上記のように構成された本発明のネットワークを通じた個人別オンライン記録管理システムおよび、これを用いた個人別オンライン記録管理方法は、個人別に提供する音声情報、文字情報およびＳＮＳメッセンジャーを保存管理できるようにすることにより、一般人または高齢者や病弱者などが話したい内容を保存管理することができる効果がある。
【００１６】
また、本発明は、一般人、高齢者や病弱者などの個人の履歴や相互に送受信したメッセンジャーについて虹彩認証を通じて接続できるようにして保存管理することにより、上記の変造へのおそれを解消することができる効果がある。
【００１７】
また、本発明のほかの効果は、ユーザーが事前に指名して登録した指名者端末機に録画された音声情報、文字情報および映像情報を送信することにより、ユーザーの記録内容を間接的に受け取ることができる効果がある。
【００１８】
また、本発明のほかの効果は、ユーザー端末機の段階で映像情報、音声情報および文字情報を編集または修正した後、管理サーバーに送信することにより、不要なデータの生成や通信トラフィックを防止することができる効果がある。
【図面の簡単な説明】
【００１９】
【図１】従来の個人別生活管理システム構成図、
【図２】本発明のネットワークを通じた個人別オンライン記録管理システムの第１実施例の全体構成図、
【図３】本発明のネットワークを通じた個人別オンライン記録管理システムの第２実施例の全体構成図、
【図４】本発明のネットワークを通じた個人別オンライン記録管理方法の第１実施例のコントロールフローチャート、
【図５】本発明のネットワークを通じた個人別オンライン記録管理方法の第２実施例のコントロールフローチャートである。
【発明を実施するための形態】
【００２０】
上記のような目的を持った本発明のネットワークを通じた個人別オンライン記録管理システムおよびこれを用いた個人別オンライン記録管理方法を、図２〜図５に基づいて説明すると次のとおりである。
【００２１】
図２は、本発明のネットワークを通じた個人別オンライン記録管理システムの第１実施例の全体構成図である。
【００２２】
上記の図２において本発明のネットワークを通じた個人別オンライン記録管理システムの第１実施例は、ユーザーのＩＤを管理サーバに登録し、ユーザーを撮影して送信した虹彩情報をパスワードで管理サーバーに登録し、ユーザー端末機で虹彩センサーを通じて受信する虹彩情報を認証した後、ネットワークに接続してユーザーが話す日常の主要内容を音声情報を録画して、上記の音声情報を文字に変換し、上記の変換された文字情報と録画された音声情報およびユーザーの日常の主要内容を撮影して録画した映像情報をユーザー端末機に保存した後、ユーザー端末機の表示部を通じて文字情報、音声情報および映像情報を提供し、編集過程を実施して編集した後、管理サーバーに送信して保存管理するようにし、上記管理サーバから保存管理されている録画された音声情報および／または文字情報および／または映像情報を受信して表出することができるユーザー端末機（１０）と、上記のユーザー端末機を通じてユーザーが指名して管理サーバーにあらかじめ登録保存したもので、ユーザーの要求時に管理サーバーに録画された音声情報および／または文字情報および／または映像情報を受信して表出する、あらかじめ指名された指名者端末機（３０）と、上記のユーザー端末機からＩＤおよび虹彩パスワードを受信して保存し、ＩＤおよび虹彩情報を認証して上記の該当ＩＤに該当するユーザの録画された音声情報および変換された文字情報および映像情報を、個人別、時間帯別、日付別に保存管理し、上記の保存されたユーザーの個人別、日付別、時間帯別に録画された音声情報および／または文字情報および／または映像情報をユーザー端末機を通じたユーザーの要求時に、あらかじめ指名された指名者端末機に送信する管理サーバー（４０）と、多数のユーザー、指名者端末機と管理サーバーをネットワークに接続するインターネット網や無線通信網（５０）で構成されていることを特徴とするものである。
【００２３】
また、上記の指名者端末機は、ＷｉＦｉモジュールが搭載されており、ＷｉＦｉディスプレイモジュール（６２）が装着された一般のＴＶ（６０）に文字情報、音声情報および映像情報を送信して提供することができる構成をさらに含んで構成することができるものである。
【００２４】
図３は、本発明のネットワークを通じた個人別オンライン記録管理システムの第２実施例の全体構成図である。
【００２５】
上記の図３において、本発明のネットワークを通じた個人別オンライン記録管理システムの第２実施例は、ユーザーのＩＤを管理サーバに登録し、ユーザーの虹彩情報をパスワードで管理サーバーに登録し、ユーザー端末機で虹彩センサーを通じて受信する虹彩情報を認証した後、ネットワークに接続してユーザー端末機と相手端末機が送受信するメッセージ情報をユーザー端末機に保存し、保存されたメッセージ情報を管理サーバーに送信して保存管理するかどうかを相手端末機に要請して同意する場合、送受信するメッセージ情報を管理サーバーに送信して保存管理するようにし、上記の管理サーバで保存管理されているメッセージ情報を受信して表出することができるユーザー端末機（１０−１）と、ユーザー端末機とカカオトーク（登録商標）やＦａｃｅｂｏｏｋ（登録商標）を通じてメッセージを送受信してユーザー端末機がメッセージ情報を別途の管理サーバーに保存管理することに同意不同意を要請して同意不同意をユーザー端末機に返信する相手端末機（２０−１）と、上記のユーザー端末機を通じてユーザーが指名して管理サーバーにあらかじめ登録保存したもので、ユーザーの要求時にメッセージ情報を管理サーバから受信して表出する、あらかじめ指名された指名者端末機（３０−１）と、上記のユーザー端末機からＩＤおよび虹彩パスワードを受信して保存し、ＩＤおよび虹彩情報を認証して上記のメッセージ情報をユーザー端末機から受信し、個人別、日付別、時間帯別に保存管理し、上記の保存されたユーザーのメッセージ情報をユーザー端末機を通じたユーザーの要求時に、あらかじめ指名された指名者端末機に送信する管理サーバー（４０−１）および多数のユーザー端末機、相手端末機および指名者端末機と管理サーバーをネットワークに接続するインターネット網または無線通信網（５０−１）で構成されていることを特徴とするものである。
【００２６】
また、上記の指名者端末機は、ＷｉＦｉモジュールが搭載されており、ＷｉＦｉディスプレイモジュール（６２−１）が装着された一般のＴＶ（６０−１）に文字情報、音声情報および映像情報を送信して提供することができる構成をさらに含んで構成することができるものである。
【００２７】
図４は、本発明のネットワークを通じた個人別オンライン記録管理方法の第１実施例のコントロールフローチャートである。
【００２８】
上記の図４において、本発明のネットワークを通じた個人別オンライン記録管理方法の第１実施例は、ユーザーがユーザー端末機を通じて管理サーバに接続をする段階（Ｓ１１）と、ユーザーがユーザー端末機に虹彩情報を保存する段階（Ｓ１２）と、ユーザーがユーザー端末機を通じて管理サーバにＩＤ、虹彩情報、番号情報および指名された指名者端末機番号の情報を登録保存する段階（Ｓ１３）と、ユーザー端末機に付けられた虹彩センサーで受信された虹彩情報をユーザー端末機をすでに保存された虹彩情報と比較して認証する段階（Ｓ１４）と、認証結果が本人である場合、ユーザー端末機が入力されたＩＤおよび虹彩情報を管理サーバーに送信する段階（Ｓ１５）と、管理サーバーがＩＤおよび虹彩情報を保存されたＩＤおよび虹彩情報と比較して認証する段階（Ｓ１６）と、管理サーバーが認証結果をユーザー端末機に送信する段階（Ｓ１７）と、ユーザー端末機がユーザーのお祝いメッセージや日常の主要内容を話す形態でマイクを通じて受信したり、取り付けられたカメラで撮影した日常の主要内容の映像情報を受信する段階（Ｓ１８）と、ユーザー端末機が上記のマイクを通じて受信したユーザーの話を録画して、上記の話の音声情報を文字情報に変換する段階（Ｓ１９）と、上記の録画された音声情報および変換された文字情報および映像情報を時間情報とともにユーザー端末機に保存する段階（Ｓ２０）と、ユーザー端末機が保存された文字情報、音声情報および映像情報を表示部を通じて提供し、ユーザーによって変更または編集できるようにする段階（Ｓ２１）と、ユーザー端末機が編集あるいは修正して確定された文字情報、音声情報と映像情報を管理サーバーに送信する段階（Ｓ２２）と、管理サーバーが受信した録画音声情報および文字情報および映像情報をＩＤまたはユーザー端末機番号情報にマッチングさせて、個人別、日付別、時間帯別に保存管理するための段階（Ｓ２３）と、ユーザーがユーザー端末機を通じて、個人別、日付別、時間帯別に保存された録画された音声情報および／または文字情報および／または映像情報を指名された指名者端末機への送信を要請する段階（Ｓ２４）と、管理サーバーがユーザーが要請した録画された音声情報および／または文字情報および／または映像情報を、該当指名者端末機に送信する段階（Ｓ２５）と、指名して登録された指名者端末機が受信した録画された音声情報および／または文字情報および／または映像情報を表出する段階（Ｓ２６）を含んで行われることを特徴とするものである。
【００２９】
また、上記のＳ１４の段階またはＳ１６段階での認証に失敗した場合終了することを特徴とするものである。
【００３０】
また、上記Ｓ２４の段階であらかじめ指名して登録保存したスマート端末機番号の情報が存在しない場合、新しいスマート端末機番号の情報を指名登録して保存することができることを特徴とするものである。
【００３１】
また、上記Ｓ２４の段階で、ユーザーが送信を要請する情報を個人別の情報であることもあり、個人別の情報のうち日付別情報であるか、特定の時間帯の情報であることもある。
【００３２】
上記Ｓ１４の段階は、ユーザー端末機が紛失した場合、または他人の使用を防止するために保存された虹彩情報を削除することができないようにさせ、すでに保存された虹彩情報を削除するためには暗号化を要求して一致した場合、削除できるようにすることができる。
【００３３】
また、個人別記録管理方法の第１実施例は、上記Ｓ２６の段階の後に指名者端末機に保存された文字情報、音声情報および映像情報をＷｉＦｉ通信を利用して、一般のＴＶに送信して表示部を通じて提供することができる段階をさらに含んで構成することができることを特徴とするものである。
【００３４】
図５は、本発明のネットワークを通じた個人別オンライン記録管理方法の第２実施例のコントロールフローチャートである。
【００３５】
上記の図５において、本発明のネットワークを通じた個人別オンライン記録管理方法の第２実施例は、ユーザーが端末機を通じて管理サーバに接続をする段階（Ｓ３１）と、ユーザーがユーザー端末機に虹彩センサーを利用して虹彩情報を保存する段階（Ｓ３２）と、ユーザーがユーザー端末機を通じて管理サーバにＩＤ、虹彩情報、端末機番号情報および指名された指名者端末機番号の情報を登録保存する段階（Ｓ３３）と、ユーザー端末機に取り付けられた虹彩センサーで受信されている虹彩情報をユーザー端末機に保存された虹彩情報と比較して、認証する段階（Ｓ３４）と、認証結果が本人である場合、ユーザー端末機が入力されたＩＤおよび虹彩情報を管理サーバーに送信する段階（Ｓ３５）と、管理サーバーがＩＤおよび虹彩情報を保存したＩＤおよび虹彩情報と比較して認証する段階（Ｓ３６）と、管理サーバーが虹彩情報認証結果をユーザー端末機に送信する段階（Ｓ３７）と、ユーザー端末機がカカオトーク（登録商標）やＦａｃｅｂｏｏｋ（登録商標）を通じて送受信されるメッセージに別途の管理サーバーに送信して保存管理するかどうかを要請する段階（Ｓ３８）と、相手端末機が同意するかどうかをユーザー端末機に返信する段階（Ｓ３９）と、同意する場合はユーザー端末機がカカオトーク（登録商標）やＦａｃｅｂｏｏｋ（登録商標）での相互に送受信されたメッセージ情報を管理サーバーに送信する段階（Ｓ４０）と、管理サーバが受信したメッセージ情報をユーザー端末機番号情報にマッチングさせて、個人別、時間帯別、および日付別に保存管理するための段階（Ｓ４１）と、ユーザーがユーザー端末機を通じて管理サーバーで保存管理しているメッセージ情報をすでに指名された指名者端末機（該当指名者端末機）に送信することを要請する段階（Ｓ４２）と、管理サーバーは、ユーザーがあらかじめ指名して登録保存した子端末機にメッセージ情報を送信する段階（Ｓ４３）と、指名して登録された指名者端末機が受信したメッセージ情報を表出する段階（Ｓ４４）を含んで行われることを特徴とするものである。
【００３６】
また、上記Ｓ４２の段階では、ユーザーが要請するメッセージ情報は、ユーザーが送受信した個人別のメッセージであることがあり、また、個人別のメッセージのうち、特定の時間帯に送受信されたメッセージであることもある。
【００３７】
また、上記のメッセージ情報は、カカオトーク（登録商標）で送受信されたメッセージであることもあり、Ｆａｃｅｂｏｏｋ（登録商標）上で送受信されたメッセージ情報であることもあり、メッセージ情報にはカカオトーク（登録商標）やＦａｃｅｂｏｏｋ（登録商標）に送信される映像情報および音声情報が含まれることもある。
【００３８】
また、上記Ｓ３４の段階とＳ３６の段階で認証に失敗した場合は終了し、Ｓ３９の段階で相手端末機が同意しない場合も終了することを特徴とするものである。
【００３９】
また、上記Ｓ３９の段階で同意した場合、１回限りの同意であることもあり、また、相手端末機に定期的に同意するかを要請し、必要に応じて変更することもできるものである。
【００４０】
また、上記の音声情報の入力を通じた個人別記録管理方法の第２実施例は、Ｓ４４の段階の後にＷｉＦｉ通信を利用して一般のＴＶに送信し、表示部を通じて提供することができる段階をさらに含んで行われることを特徴とするものである。
【産業上の利用可能性】
【００４１】
上記のように構成された本発明のネットワークを通じた個人別オンライン記録管理システムおよびこれを用いた個人別オンライン記録管理方法は、個人の日記やイベントなどをオンラインを通じたサーバーで保存管理し、編集して管理することができるようにすることにより、ノートに基づく個人記録管理からサーバーベースの統合管理システムに切り替え、すべてのユーザの日常の記録を保存管理することにより、今後、これと関連した新しい事業を創出することが可能になるものとみられる。
【図１】
0006462866.tif 000002
【図２】
0006462866.tif 000003
【図３】
0006462866.tif 000004
【図４】
0006462866.tif 000005
【図５】
0006462866.tif 000006